(57)【要約】【課題】使用前及び使用後における携帯性に優れるとともに紛失の虞がなく、使用時には、簡単に組み立てることが可能で且つ耐久性に優れたダンボール組立椅子を提供する。【解決手段】  長尺筒状の座部材２と、一対の板状の第１脚部材３及び各第１脚部材３と組み立てられる板状の第２脚部材４とを備えるダンボール組立椅子１であって、ダンボール組立椅子１が使用されない状態では、各第１脚部材３及び第２脚部材４は長尺筒状の座部材２の内部に収納される。【選択図】図５
0003184082.tif 000002
【実用新案登録請求の範囲】
【請求項１】
長尺筒状の座部材と、板状の第１脚部材及び第１脚部材と組み立てられる板状の第２脚部材とを備えるダンボール組立椅子であって、
前記ダンボール組立椅子が使用されない状態では、前記第１脚部材及び第２脚部材は前記長尺筒状の座部材の内部に収納されていることを特徴とするダンボール組立椅子。
【請求項２】
一対の前記各第１脚部材に形成された第１嵌合スリットと、
前記第２脚部材に形成された２つの第２嵌合スリットとを有し、
前記各第１脚部材の第１嵌合スリットは前記第２脚部材の各第２嵌合スリットに嵌合され、各第１脚部材及び第２脚部材により格子状の脚部が形成されることを特徴とする請求項１に記載のダンボール組立椅子。
【請求項３】
前記座部材の一面に形成され、座部材の一面と面一となる第１位置と座部材の一面から切り起こされた第２位置との間で可動に形成された一対の切起片と、
前記各切起片に形成された第３嵌合スリットとを有し、
前記脚部の第２脚部材は、前記切起片が第２位置にある状態で、前記各第３嵌合スリットに嵌合されることを特徴とする請求項２に記載のダンボール組立椅子。
【請求項４】
前記脚部の第２脚部材が前記各第３嵌合スリットに嵌合された状態で、前記切起片は前記各第１脚部材の一面に当接されていることを特徴とする請求項３に記載のダンボール組立椅子。
【請求項５】
前記各第２嵌合スリットの端縁部には幅広部が形成されており、
前記脚部の第２脚部材は、前記幅広部を介して各切起片の第３嵌合スリットに嵌合されることを特徴とする請求項３又は請求項４に記載のダンボール組立椅子。
【考案の詳細な説明】
【技術分野】
【０００１】
本考案は、ダンボールから構成されたダンボール組立椅子に関し、特に、使用前及び使用後における携帯性に優れるとともに紛失の虞がなく、使用時には、簡単に組み立てることが可能で且つ耐久性に優れたダンボール組立椅子に関するものである。
【背景技術】
【０００２】
従来より、ダンボールから形成された組立椅子については各種のものが提案されており、例えば、意匠登録第１１８２７１５号公報には、長尺状に形成されて座部及び脚支持部を有する本体部材と、脚支持部に形成された２つの切込に嵌入される板状の脚部材とから構成されたダンボール組立椅子が記載されており、かかるダンボール組立椅子は、意匠登録第１１８２７１５号公報の参考図１〜５に記載されているように組み立てられた後、座部に円盤状の座板が載置されて組立てが完成するものである。
【先行技術文献】
【特許文献】
【０００３】
【特許文献１】意匠登録第１１８２７１５号公報
【考案の概要】
【考案が解決しようとする課題】
【０００４】
しかしながら、前記特許文献１に記載されたダンボール組立椅子は、座部と脚支持部が一体に形成された１つの本体部材と、２つの脚部材の３つの部材から組み立てられるシンプルな構成を有するものであるが、何時でも組み立て可能にするためには、３つの部材を一纏めにして別の収納袋、容器等に収納しておく必要がある。
【０００５】
また、組立椅子の使用後には、３つの部材に分解した後、次回の使用に備えて元の収納袋、容器等に再度収納しておく必要がある。
【０００６】
かかる場合、回数を重ねて使用していくに従って、その収納袋、容器等が分からなくなる虞があり、最終的には組立椅子自体を紛失してしまうこととなる。
【０００７】
本考案は、前記従来における問題点を解消するためなされたものであり、使用前及び使用後における携帯性に優れるとともに紛失の虞がなく、使用時には、簡単に組み立てることが可能で且つ耐久性に優れたダンボール組立椅子を提供することを目的とする。
【課題を解決するための手段】
【０００８】
前記目的を達成するため、請求項１に係るダンボール組立椅子は、長尺筒状の座部材と、板状の第１脚部材及び第１脚部材と組み立てられる板状の第２脚部材とを備えるダンボール組立椅子であって、前記ダンボール組立椅子が使用されない状態では、前記第１脚部材及び第２脚部材は前記長尺筒状の座部材の内部に収納されていることを特徴とする。
【０００９】
請求項２に係るダンボール組立椅子は、請求項１のダンボール組立椅子において、一対の前記各第１脚部材に形成された第１嵌合スリットと、前記第２脚部材に形成された２つの第２嵌合スリットとを有し、前記各第１脚部材の第１嵌合スリットは前記第２脚部材の各第２嵌合スリットに嵌合され、各第１脚部材及び第２脚部材により格子状の脚部が形成されることを特徴とする。
【００１０】
請求項３に係るダンボール組立椅子は、請求項２のダンボール組立椅子において、前記座部材の一面に形成され、座部材の一面と面一となる第１位置と座部材の一面から切り起こされた第２位置との間で可動に形成された一対の切起片と、前記各切起片に形成された第３嵌合スリットとを有し、前記脚部の第２脚部材は、前記切起片が第２位置にある状態で、前記各第３嵌合スリットに嵌合されることを特徴とする。
【００１１】
請求項４に係るダンボール組立椅子は、請求項３のダンボール組立椅子において、前記脚部の第２脚部材が前記各第３嵌合スリットに嵌合された状態で、前記切起片は前記各第１脚部材の一面に当接されていることを特徴とする。
【００１２】
請求項５に係るダンボール組立椅子は、請求項３又は請求項４のダンボール組立椅子において、前記各第２嵌合スリットの端縁部には幅広部が形成されており、前記脚部の第２脚部材は、前記幅広部を介して各切起片の第３嵌合スリットに嵌合されることを特徴とする。
【考案の効果】
【００１３】
請求項１に係るダンボール組立椅子では、その使用が行われない状態において、ダンボール組立椅子を構成する座部材以外の板状の第１脚部材及び第１脚部材と組み立てられる板状の第２脚部材が、長尺筒状の座部材の内部に収納されているので、使用前及び使用後における携帯性に優れるとともに紛失の虞がないダンボール組立椅子を提供することができる。
【００１４】
請求項２に係るダンボール組立椅子では、一対の各第１脚部材の第１嵌合スリットを第２脚部材の各第２嵌合スリットに嵌合するだけで格子状の脚部が形成されることから、簡単に組み立てることができる。また、脚部は、その格子状構造から強度に優れ、大きな荷重負荷に耐えることができ、耐久性に優れている。
【００１５】
請求項３に係るダンボール組立椅子では、座部材の一面に形成され、座部材の一面と面一となる第１位置と座部材の一面から切り起こされた第２位置との間で可動に形成された一対の切起片と、各切起片に形成された第３嵌合スリットとを有し、脚部の第２脚部材は、切起片が第２位置にある状態で、各第３嵌合スリットに嵌合されるので、脚部の第２脚部材を各切起片の第３嵌合スリットに嵌合するだけで座部材と脚部材とを相互に組み立てることができ、前記のように脚部材が組立容易であることとも相まって、ダンボール組立椅子全体を簡単に組み立てることができる。
ここに、各切起片は、脚部の第２脚部材が各切起片の第３嵌合スリットに嵌合される際及び嵌合後に、板状の第２脚部材を案内支持するので、座部材と脚部の連結部分の耐久性を向上することができる。
【００１６】
請求項４に係るダンボール組立椅子では、脚部の第２脚部材が各第３嵌合スリットに嵌合された状態で、切起片は各第１脚部材の一面に当接されているので、各切起片は板状の各第１脚部材を支持補強することとなり、これより座部材と脚部の連結部分の耐久性を更に向上することができる
【００１７】
請求項５に係るダンボール組立椅子では、各第２嵌合スリットの端縁部には幅広部が形成されており、脚部の第２脚部材は、幅広部を介して各切起片の第３嵌合スリットに嵌合される。このとき、第２嵌合スリットの幅広部は、第２脚部材を第３嵌合スリットに向かってスムーズに案内し、これにより第２脚部材と各切起片の第３嵌合スリットとの連結を容易にして座部材と脚部とを簡単に組み立てることが可能となるものである。
【図面の簡単な説明】
【００１８】
【図１】本実施形態に係るダンボール組立椅子の斜視図である。
【図２】座部材の斜視図である。
【図３】座部材の展開図である。
【図４】天パッドの平面図である。
【図５】座部材の形成工程を模式的に示す説明図である。
【図６】第１脚部材の平面図である。
【図７】第２脚部材の平面図である。
【図８】ダンボール組立椅子の組立工程を模式的に示す説明図である。
【考案を実施するための形態】
【００１９】
以下、本考案に係るダンボール組立椅子について、本考案を具体化した実施形態に基づき図面を参照しつつ説明する。
本実施形態に係るダンボール組立椅子１は、図１に示すように、長尺筒状に形成された座部材２、一対の板状の第１脚部材３及び各第１脚部材３と組み立てられる板状の第２脚部材４とから構成されている。
【００２０】
座部材２は、図２に示すように長方形状に形成されており、その短辺側は連結部５、５により連結されており、また、長辺側は開放部６を介して開放されている。従って、座部材２は全体として長尺筒状に形成されている。各連結部５には、３つの罫線７が形成されている。
【００２１】
前記座部材２を形成するには、先ず、図３にて展開図で示す座部原材８を形成する。座部原材８は、略同一サイズを有する３つの長方形状の板材を連続形成してなる。
【００２２】
具体的に、座部原材８は、図３に示すように、中央板材９、中央板材９の右側で連結部５を介して連続形成された右板材１０、及び、中央板材９の左側で連結部５を介して連続形成された左板材１１から構成されている。ここに、各連結部５には、それぞれ３つの罫線７が形成されているので、右板材１０及び左板材１１は中央板材９に対して相互に折り曲げ可能とされている。
尚、右板材１０と左板材１１とは、後述するように、中央板材９の両側で相互に折り畳まれることから、対称形に形成されている。
また、図３に示すように、座部原材８の中央板材９、右板材１０、左板材１１における両側縁には、それぞれの中央分割線に沿って、半円状のロッド案内溝２３が形成されている。各ロッド案内溝２３の作用については後述する。
【００２３】
右板材１０には、その中央分割線で相互に対称となる一対の切起片１２が形成されている。各切起片１２は、凸形切断線１３に沿って右板材１０を切断するとともに、凸形切断線１３の両端部を結ぶ線分１４に沿って半切り切断（右板材１０の一部を残して切断する切断加工）を行うことにより形成される。このように形成された各切起片１２は、線分１４部分で右板材１０と一部で連結されていることから、右板材１０の面と面一となる第１位置と、右板材１０の面から切り起こされた第２位置（右板材１０の面と略直角となる）との間で可動となる。
【００２４】
各切起片１２には、図３に示されているように、外側端縁部で拡径されるとともに外側端縁部から内側に向かって伸びる嵌合スリット１５が形成されている。また、凸形切断線１３において、嵌合スリット１５の外側端縁部と対向する位置には、凹部１６が設けられている。かかる凹部１６は、切起片１２を第１位置から第２位置に向かって回動させる際に、指を掛ける指掛け部として使用される。
【００２５】
前記右板材１０の場合と同様に、左板材１１には、その中央分割線で相互に対称となる一対の切起片１２が形成されている。各切起片１２は、凸形切断線１３に沿って左板材１１を切断するとともに、凸形切断線１３の両端部を結ぶ線分１４に沿って罫線が形成される。このように形成された各切起片１２は、線分１４部分で左板材１１と一部で連結されていることから、左板材１１の面と面一となる第１位置と、左板材１１の面から切り起こされた第２位置（左板材１１の面と略直角となる）との間で可動となる。
【００２６】
各切起片１２には、図３に示されているように、外側端縁部で拡径されるとともに外側端縁部から内側に向かって伸びる嵌合スリット１５が形成されている。また、凸形切断線１３において、嵌合スリット１５の外側端縁部と対向する位置には、凹部１６が設けられている。かかる凹部１６は、切起片１２を第１位置から第２位置に向かって回動させる際に、指を掛ける指掛け部として使用される。
【００２７】
座部材２の上面には、図２に示すように（図２では下面）、天パッド１７（図４参照）が接着されており、かかる天パッド１７は強化ダンボールから形成されて、前記座部原材８における中央板材９の一面（ダンボール組立椅子１で上面となる面）に接着される。
【００２８】
続いて、前記のように構成される座部材２を形成する工程について図５に基づき説明する。図５において、先ず、（Ａ）に示すように、座部原材８の下方に天パッド１７を用意する。この後、座部原材８における連結部５の罫線７を利用して、上面に接着剤が塗布された右板材１０を中央板材９に向かって折り畳むとともに、同様に、左板材１１を連結部５の罫線７を利用して右板材１０の上面に向かって折り畳んで接着剤により右板材１０と左板材１１とを貼り合わせる。また、接着剤を塗布した天パッド１７を中央板材９の下面に貼り合わせる。これにより、座部材２が形成される。この状態が（Ｂ）に示されている。
尚、この状態で、右板材１０に形成された各切起片１２と左板材１１に形成された各切起片１２とは、相互に重ね合わされている。
【００２９】
更に、（Ｃ）に示すように、前記のように形成された複数の座部材２の各ロッド案内溝２３にプレス機（図示せず）に設けられた支持ロッド１８を案内支持することにより、各座部材２をプレス機における所定のプレス位置にセットし、プレス加工を行う。
【００３０】
前記のように形成された長尺筒状の座部材２には、（Ｄ）に示すように、座部材２の長辺側に形成された開放部６を介して、後に詳述する一対の板状の第１脚部材３及び各第１脚部材３と組み立てられる板状の第２脚部材４が収納される。
【００３１】
続いて、第１脚部材３及び第２脚部材４について説明する。
先ず、一対の第１脚部材３について説明する。図６に示すように、板状に形成された第１脚部材３は略正方形状を有しており、その中央分割線に沿って嵌合スリット１９が形成されている。
【００３２】
第２脚部材４は、図７に示すように、長方形状に形成され、その中央分割線から同一距離の位置に、２つの嵌合スリット２０が形成されている。各嵌合スリット２０の端縁部にて、その外側には、幅広部２１が形成されている。
【００３３】
ここに、前記各第１脚部材３及び第２脚部材４の外形サイズは、座部材２を構成する座部原材８における中央板材９、右板材１０、左板材１１の外形サイズと同等となるように構成されている。具体的に、第１脚部材３の一辺及び第２脚部材４の短辺の長さは、座部材２の各中央板材９、右板材１０、左板材１１の短辺長さと同一長さに形成されており、これに対して第２脚部材の長辺の長さは、座部材２の各中央板材９、右板材１０、左板材１１の長辺よりも若干短く形成されている。
【００３４】
続いて、前記のように構成された座部材２、一対の第１脚部材３及び第２脚部材４からダンボール組立椅子１を組み立てる手順について図８に基づき説明する。
図８において、ダンボール組立椅子１を組み立てる前においては、前記したように、各第１脚部材３及び第２脚部材４の外形サイズは、座部材２を構成する座部原材８における中央板材９、右板材１０、左板材１１の外形サイズと同等となるように構成されており、また、座部材２の開放部６は、連結部５の各罫線７を介して若干外側に拡大されているので、長尺筒状の座部材２には、座部材２の長辺側に形成された開放部６を介して、一対の板状の第１脚部材３及び各第１脚部材３と組み立てられる板状の第２脚部材４が収納されている。
【００３５】
従って、ダンボール組立椅子１の使用が行われない状態において、ダンボール組立椅子１を構成する座部材２以外の一対の板状の第１脚部材３及び各第１脚部材３と組み立てられる板状の第２脚部材４が、長尺筒状の座部材２の内部に収納されているので、使用前及び使用後における携帯性に優れるとともに紛失の虞がないダンボール組立椅子１を提供することができる。
【００３６】
ダンボール組立椅子１を組み立てる際、（Ａ）に示すように、座部材２の内部から一対の第１脚部材３及び第２脚部材４が取り出される。続いて、（Ｂ）に示すように、各第１脚部材３をその嵌合スリット１９を上側にして配置するとともに、第２脚部材４の２つの嵌合スリット２０、２０をそれぞれ各第１脚部材３の嵌合スリット１９に対向するように配置した後、各第１脚部材３の嵌合スリット１９と第２脚部材４の２つの嵌合スリット２０とを相互に嵌合させる。これにより、（Ｃ）に示すように、格子状の脚部２２が形成される。
【００３７】
このように、各第１脚部材３の嵌合スリット１９を第２脚部材４の２つの第２嵌合スリット２０に嵌合するだけで格子状の脚部２２が形成されることから、脚部２２を簡単に組み立てることができる。また、脚部２２は、その格子状構造から強度に優れ、大きな荷重負荷に耐えることができ、耐久性に優れている。
【００３８】
上記と並行して、（Ｄ）に示すように、その内部から各第１脚部材３、第２脚部材４が取り出された座部材２の天パッド１７を下面とし、各切起片１２を上面とした状態で、各切起片１２が、上面側の右板材１０及び左板材１１の面と面一である第１位置から右板材１０及び左板材１１の面と略垂直な第２位置まで回動される。この状態が（Ｅ）に示されている。
【００３９】
この後、（Ｆ）に示すように、格子状の脚部２２を構成する第２脚部材４に形成された２つの各嵌合スリット２０をそれぞれ各切起片１２の嵌合スリット１５に嵌合させる。かかる嵌合後、各切起片１２の内側面と各第１脚部材３の外側面とは相互に当接される。この後上下反転すれば、（Ｇ）に示すように、ダンボール組立椅子１の組立が完成する。
【００４０】
このように、脚部２２の第２脚部材４を各切起片１２の嵌合スリット１５に嵌合するだけで座部材２と各第１及び第２脚部材３、４とを相互に組み立てることができ、前記のように各第１及び第２脚部材３、４が組立容易であることとも相まって、ダンボール組立椅子１全体を簡単に組み立てることができる。
【００４１】
ここに、各切起片１２は、脚部２２の第２脚部材４が各切起片１２の嵌合スリット１５に嵌合される際及び嵌合後に、板状の第２脚部材４を案内支持するので、座部材２と脚部２２の連結部分の耐久性を向上することができる。
また、脚部２２の第２脚部材４が各切起片１２の嵌合スリット１５に嵌合された状態で、切起片１２の内側面は各第１脚部材３の外側面に当接されているので、各切起片１２は板状の各第１脚部材３を支持補強することとなり、これより座部材２と脚部２２の連結部分の耐久性を更に向上することができる
【００４２】
更に、第２脚部材４の各嵌合スリット２０の端縁部には幅広部２１が形成されており、脚部２２の第２脚部材４は、幅広部２１を介して各切起片１２の嵌合スリット１５に嵌合される。このとき、嵌合スリット２０の幅広部２１は、第２脚部材４を各切起片１２の嵌合スリット１５に向かってスムーズに案内し、これにより第２脚部材４と各切起片１２の嵌合スリット１５との連結を容易にして座部材２と脚部２２とを簡単に組み立てることが可能となるものである。
【００４３】
尚、本考案は前記実施形態に限定されるものではなく、本考案の趣旨を逸脱しない範囲内で改良、変形が可能であることは勿論である。
【符号の説明】
【００４４】
１        ダンボール組立椅子
２        座部材
３        第１脚部材
４        第２脚部材
１２      切起片
１５      嵌合スリット（第３嵌合スリット）
１９      嵌合スリット（第１嵌合スリット）
２０      嵌合スリット（第２嵌合スリット）
２１      幅広部
２２      脚部
【図１】
0003184082.tif 000003
【図２】
0003184082.tif 000004
【図３】
0003184082.tif 000005
【図４】
0003184082.tif 000006
【図５】
0003184082.tif 000007
【図６】
0003184082.tif 000008
【図７】
0003184082.tif 000009
【図８】
0003184082.tif 000010